(57)【要約】【課題】カバンに付帯させ、これに添付ないし、これに設けられたポケットに入れたままで、リーダライタとの交信を遠距離で行なうことができる、非接触式データキャリア装置用補助アンテナ部材を内蔵したカバンを提供する。同時にこれに用いられる非接触式データキャリア装置用補助アンテナ部材を提供する。【解決手段】使用するカード型の非接触式データキャリア装置の通信距離をのばすための非接触式データキャリア装置用補助アンテナ部材を内蔵したカバンで、前記非接触式データキャリア装置用補助アンテナ部材は、使用する非接触式データキャリア装置より大サイズに、カバン面に沿い略平面状に、リーダライタと交信する共振用のアンテナコイルを有するアンテナ回路を形成したもので、前記アンテナコイルの略中心位置に、使用する非接触式データキャリア装置を添付して、あるいは、設けられたポケットに入れて、リーダライタとの交信を行なうものであり、アンテナコイルには、共振調整用の、可変長のコイルおよびまたは可変容量とを備えている。【選択図】　図１
2004021484.tif 000002
【特許請求の範囲】
【請求項１】
使用するカード型の非接触式データキャリア装置の通信距離をのばすための非接触式データキャリア装置用補助アンテナ部材を内蔵したカバンであって、前記非接触式データキャリア装置用補助アンテナ部材は、使用する非接触式データキャリア装置より大サイズに、カバン面に沿い略平面状に、リーダライタと交信する共振用のアンテナコイルを有するアンテナ回路を形成したもので、前記アンテナコイルの略中心位置に、使用する非接触式データキャリア装置を添付して、あるいは、設けられたポケットに入れて、リーダライタとの交信を行なうものであり、アンテナコイルには、共振調整用の、可変長のコイルおよびまたは可変容量とを備えていることを特徴とする非接触式データキャリア装置用補助アンテナ部材を内蔵したカバン。
【請求項２】
請求項１において、アンテナコイルは、非接触式データキャリア装置周辺部に沿うように迂回していることを特徴とする非接触式データキャリア装置用補助アンテナ部材を内蔵したカバン。
【請求項３】
請求項１ないし２において、アンテナコイルは、使用する非接触式データキャリア装置より大サイズの平面状のベース基材に配設され、アンテナ回路を形成するものであることを特徴とする非接触式データキャリア装置用補助アンテナ部材を内蔵したカバン。
【請求項４】
請求項３において、半導体チップからなる容量部、およびまたは、ベース基材の両面に設けられた容量形成用の導電体からなる容量パターンにベース基材が挟まれて形成される容量部を設けていることを特徴とする非接触式データキャリア装置用補助アンテナ部材を内蔵したカバン。
【請求項５】
請求項４において、アンテナコイルあるいはアンテナコイルとベース基材が挟まれて形成される容量パターンは、そのベースとなる基材の一面ないし両面に導電性薄層を設けた積層シートからフォトエッチング法により形成されたものであることを特徴とする非接触式データキャリア装置用補助アンテナ部材を内蔵したカバン。
【請求項６】
請求項５において、導電性薄層がアルミニュウム薄層であることを特徴とする非接触式データキャリア装置用補助アンテナ部材を内蔵したカバン。
【請求項７】
請求項３ないし６において、少なくとも、アンテナコイルは、ベース基材上に導電性ペーストを塗膜形成したものであることを特徴とする非接触式データキャリア装置用補助アンテナ部材を内蔵したカバン。
【請求項８】
請求項１ないし７において、使用するカード型の非接触式データキャリア装置が、ＩＳＯ１５６９３（近接型）仕様あるいはＩＳＯ１４４４３（近傍型）仕様のカード型の非接触式データキャリアモジュールであることを特徴とする非接触式データキャリア装置用補助アンテナ部材を内蔵したカバン。
【請求項９】
カバン中に入れた状態で、使用するカード型の非接触式データキャリア装置の通信距離をのばすための非接触式データキャリア装置用補助アンテナ部材であって、使用する非接触式データキャリア装置より大サイズの平面状のベース基材に配設され、リーダライタと交信する共振用のアンテナ回路を形成したもので、前記アンテナコイルの略中心位置に、使用する非接触式データキャリア装置を配設し、リーダライタとの交信を行なうものであり、アンテナコイルには、共振調整用の、可変長のコイルおよびまたは可変容量とを備えていることを特徴とする非接触式データキャリア装置用補助アンテナ部材。
【請求項１０】
請求項９において、半導体チップからなる容量部、およびまたは、ベース基材の両面に設けられた容量形成用の導電体からなる容量パターンにベース基材が挟まれて形成される容量部を設けていることを特徴とする非接触式データキャリア装置用補助アンテナ部材。
【請求項１１】
請求項１０において、アンテナコイルあるいはアンテナコイルとベース基材が挟まれて形成される容量パターンは、そのベースとなる基材の一面ないし両面に導電性薄層を設けた積層シートからフォトエッチング法により形成されたものであることを特徴とする非接触式データキャリア装置用補助アンテナ部材。
【請求項１２】
請求項１１において、導電性薄層がアルミニュウム薄層であることを特徴とする非接触式データキャリア装置用補助アンテナ部材。
【請求項１３】
請求項９ないし１２において、少なくとも、アンテナコイルは、ベース基材上に導電性ペーストを塗膜形成したものであることを特徴とする非接触式データキャリア装置用補助アンテナ部材。
【発明の詳細な説明】
【０００１】
【発明の属する技術分野】
本発明は、使用するカード型の非接触式データキャリア装置の通信距離をのばすための非接触式データキャリア装置用補助アンテナ部材を内蔵したカバンと、該カバンに用いられる非接触式データキャリア装置用補助アンテナ部材に関する。
【０００２】
【従来の技術】
情報の機密性の面からＩＣカードが次第に普及されつつ中、近年では、読み書き装置（リーダライタ）と接触せずに情報の授受を行う非接触型のＩＣカードが提案されている。
中でも、外部の読み書き装置との信号交換を、あるいは信号交換と電力供給とを電磁波により行う方式のものが一般的である。
一方、データを搭載したＩＣを、アンテナコイルと接続した、シート状ないし札状の非接触式のＩＣタグが、近年、種々提案され、商品や包装箱等に付け、万引き防止、物流システム等に利用されるようになってきた。
【０００３】
最近では、データキャリアであるＩＣチップの端子面上にアンテナを設けた、即ちコイルオンチップ型の、半導体チップまたは半導体チップモジュールの試験品が提供され、それを使用した非接触式ＩＣタグや非接触式ＩＣカードが提案されている。
このような非接触ＩＣカードや非接触式ＩＣタグ等の非接触式データキャリア装置では、外部リーダライタと信号交換用のブースターアンテナコイルを設け、且つ、これを一次コイル（ブースターアンテナとも言う）として、これと電磁結合するための二次コイルを設けたコイルオンチップ型のデータキャリア用半導体チップあるいは他のデータキャリアモジュールとを備えて、非接触方式を実現する方法が、通常となつている。
尚、二次コイルを設けたデータキャリアモジュールとは、二次コイルとなる微細なコイルを有し、これをデータキャリア部に直接接続しているモジュールの総称である。
【０００４】
しかし、このような一次コイル（ブースターアンテナとも言う）と二次コイルを設けたデータキャリアモジュールを含むカード型の非接触式データキャリア装置においては、その外部リーダライタと信号交換が行なうことができる距離には制限があり、これが場合によっては問題となっていた。
例えば、図８に示すように、ＩＣモジュールを搭載したカード型の非接触式データキャリア装置５５０を定期券として、通勤における改札口にリーダライタ部５１０と交信する場合には、該定期券をリーダライタ５１０に所定の距離だけ近づける必要があり、改札の都度、ポケットやカバンから取り出すことが必要で、わずらわしかった。
【０００５】
【発明が解決しようとする課題】
上記のように、最近では、ＩＣモジュールを搭載したカード型のデータキャリア装置を定期券として用いることも、行なわれるようになってきたが、改札の都度、ポケットやカバンから取り出すことが必要で、わずらわしく、この対応が求められてきた。
本発明は、これに対応するもので、カバンに付帯させ、これに添付ないし、これに設けられたポケットに入れたままで、リーダライタとの交信を遠距離で行なうことができる、非接触式データキャリア装置用補助アンテナ部材を内蔵したカバンを提供しようとするものである。
同時にこれに用いられる非接触式データキャリア装置用補助アンテナ部材を提供しようとするものである。
【０００６】
【課題を解決するための手段】
本発明の非接触式データキャリア装置用補助アンテナ部材を内蔵したカバンは、使用するカード型の非接触式データキャリア装置の通信距離をのばすための非接触式データキャリア装置用補助アンテナ部材を内蔵したカバンであって、前記非接触式データキャリア装置用補助アンテナ部材は、使用する非接触式データキャリア装置より大サイズに、カバン面に沿い略平面状に、リーダライタと交信する共振用のアンテナコイルを有するアンテナ回路を形成したもので、前記アンテナコイルの略中心位置に、使用する非接触式データキャリア装置を添付して、あるいは、設けられたポケットに入れて、リーダライタとの交信を行なうものであり、アンテナコイルには、共振調整用の、可変長のコイルおよびまたは可変容量とを備えていることを特徴とするものである。
そして、上記において、アンテナコイルは、非接触式データキャリア装置周辺部に沿うように迂回していることを特徴とするものである。
【０００７】
上記において、アンテナコイルは、使用する非接触式データキャリア装置より大サイズの平面状のベース基材に配設され、アンテナ回路を形成するものであることを特徴とするものであり、半導体チップからなる容量部、およびまたは、ベース基材の両面に設けられた容量形成用の導電体からなる容量パターンにベース基材が挟まれて形成される容量部を設けていることを特徴とするものである。
そして、前記アンテナコイルあるいはアンテナコイルとベース基材が挟まれて形成される容量パターンは、そのベースとなる基材の一面ないし両面に導電性薄層を設けた積層シートからフォトエッチング法により形成されたものであることを特徴とするものである。
また、上記導電性薄層がアルミニュウム薄層であることを特徴とするものである。
また、上記において、少なくとも、アンテナコイルは、ベース基材上に導電性ペーストを塗膜形成したものであることを特徴とするものである。
【０００８】
また、上記において、使用するカード型の非接触式データキャリア装置が、ＩＳＯ１５６９３（近接型）仕様あるいはＩＳＯ１４４４３（近傍型）仕様のカード型の非接触式データキャリアモジュールであることを特徴とするものである。
【０００９】
本発明の非接触式データキャリア装置用補助アンテナ部材は、カバン中に入れた状態で、使用するカード型の非接触式データキャリア装置の通信距離をのばすための非接触式データキャリア装置用補助アンテナ部材であって、使用する非接触式データキャリア装置より大サイズの平面状のベース基材に配設され、リーダライタと交信する共振用のアンテナ回路を形成したもので、前記アンテナコイルの略中心位置に、使用する非接触式データキャリア装置を配設し、リーダライタとの交信を行なうものであり、アンテナコイルには、共振調整用の、可変長のコイルおよびまたは可変容量とを備えていることを特徴とするものである。
そして、上記において、半導体チップからなる容量部、およびまたは、ベース基材の両面に設けられた容量形成用の導電体からなる容量パターンにベース基材が挟まれて形成される容量部を設けていることを特徴とするものであり、アンテナコイルあるいはアンテナコイルとベース基材が挟まれて形成される容量パターンは、そのベースとなる基材の一面ないし両面に導電性薄層を設けた積層シートからフォトエッチング法により形成されたものであることを特徴とするものである。
そしてまた、上記において、導電性薄層がアルミニュウム薄層であることを特徴とするものであある。
また、上記において、少なくとも、アンテナコイルは、ベース基材上に導電性ペーストを塗膜形成したものであることを特徴とするものである。
【００１０】
【作用】
本発明の非接触式データキャリア装置用補助アンテナ部材を内蔵したカバンは、上記のような構成にすることによって、カバンに付帯させ、これに添付して、あるいは、これに設けられたポケットに入れたままで、リーダライタとの交信を遠距離で行なうことができる、非接触式データキャリア装置用補助アンテナ部材を内蔵したカバンの提供を可能としている。
特に、アンテナコイルには、共振調整用の、可変長のコイルおよびまたは可変容量とを備えていることにより、共振調整を可能としており、容易に、リーダライタとの交信を遠距離で行なうことができる。
また、本発明の非接触式データキャリア装置用補助アンテナ部材は、ベース基材の両面に設けられた容量形成用の導電体からなる容量パターンにベース基材が挟まれて形成される容量部を、容量を段階的に変えることができる容量パターンとして設けている場合には、調整することにより、より、リーダライタとの交信の共振の自由度をより高いものとできる。
また、アンテナコイル、あるいは、アンテナコイルとベース基材の両面に設けられた容量形成用の導電体からなる容量パターンは、そのベースとなる基材の一面ないし両面に導電性薄層を設けた積層シートからフォトエッチング法により形成されたものである場合には、精度良く加工されたものを得ることができる。
この場合、導電性薄層としては、アルミニュウム薄層が得易いが、これに限定はされない。銅薄層でもよい。
【００１１】
また、少なくとも、アンテナコイルは、ベース基材上に導電性ペーストを塗膜形成したものである場合には、量産性に向いたものとなる。
尚、アンテナ部の形成方法としては、コイル線をそのままアンテナコイルに利用して、コンデンサー素子を接続してこれを可変容量として、アンテナ回路を構成しても良い。
【００１２】
使用するカード型の非接触式データキャリア装置としては、ＩＳＯ１５６９３（近接型）仕様あるいはＩＳＯ１４４４３（近傍型）仕様のカード型の非接触式データキャリアモジュールが挙げられ、更に具体的には、これらの仕様でブースターアンテナ部と、該ブースターアンテナ部を一次コイルとし、これと電磁結合するための二次コイルを設けたコイルオンチップ型のデータキャリア用半導体チップあるいは他のデータキャリアモジュールとを備えたもの等が挙げられる。
【００１３】
本発明の非接触式データキャリア装置用補助アンテナ部材は、上記のような構成にすることによって、カバンに付帯させ、これに添付して、あるいは、これに設けられたポケットに入れたままで、リーダライタとの交信を遠距離で行なうことができるものとしている。
【００１４】
【発明の実施の形態】
本発明の非接触式データキャリア装置用補助アンテナ部材を内蔵したカバンの実施の形態例を図に基づいて説明する。
図１（ａ）は本発明の非接触式データキャリア装置用補助アンテナ部材を内蔵したカバンの実施の形態の第１の例の要部を透視してみた概略図で、図１（ｂ）は図１（ａ）のＡ１−Ａ２における断面図で、図１（ｃ）はカバンの外観の１例を示した図で、図２（ａ）は図１に示す非接触式データキャリア装置用補助アンテナ部材１０５の変形例を示した概略図で、図２（ｂ）は図２（ａ）のＡ１１−Ａ２１における断面図で、図３は本発明の非接触式データキャリア装置用補助アンテナ部材を内蔵したカバンの実施の形態の第２の例の要部を透視してみた概略図で、図４は図３に示すファスナー（可変長コイル部）２９０を回路的に説明するための図で、図５は図１（ｂ）のＡ１側から透視してからみた基材１１０のアンテナコイル１２０とは反対側の図で、図６はアンテナコイルの接続と容量パターンを説明するための図で、図７は実施の形態例の非接触式データキャリア装置用補助アンテナ部材をカバン内に配設した場合の使用方法を説明するための図で、図９は実施の形態例の非接触式データキャリア装置用補助アンテナ部材における非接触式データキャリア装置を設置位置と通信距離の関係を示した図である。
尚、図１（ａ）、図２（ａ）中、１点鎖線はそれぞれ、非接触式データキャリア装置用補助アンテナ部材１０５、の中心線で、ここでは、アンテナコイル１２０はカバンの中心に形成されている。
また、図４（ａ）は図３のＦ部拡大図で、図４（ｂ）は図４（ａ）を表した回路図で、図６は図５のＡ３部を示した図である。
図１〜図７中、１００はカバン、１０５、１０５ａは非接触式データキャリア装置用補助アンテナ部材、１１０はベース基材、１１１、１１２は保護膜、１２０はアンテナコイル、１２１、１２２、１２５は接続用端子部、１３０は容量パターン、１３１は接続用配線、１３２は接続部、１３５は容量パターン、１３６は接続用配線、１３７は接続部、１４０はチップコンデンサ、１５０は接続用配線、１５１、１５２は接続用端子、１６０はポケット、１６０Ａはポケット領域、１７０は非接触式データキャリア装置、１７０Ａは非接触式データキャリア装置領域、１８１、１８２はかしめ接続部、１９０は可変長コイル部、１９１は導通金属部、１９２は導通テープ部、２００はカバン、２２０はアンテナコイル、、２４０は可変容量部、２６０はポケット、２７０は非接触式データキャリア装置、２９０はファスナー（可変長コイル部）、４１０はリーダライタ部、４１１は電磁波、４２０はカバン、４３０は非接触式データキャリア装置用補助アンテナ部材、４５０は非接触式データキャリア装置である。
【００１５】
先ず、本発明の非接触式データキャリア装置用補助アンテナ部材を内蔵したカバンの実施の形態の第１の例を図１に基づいて説明する。
尚、ここでの、本例において用いられる非接触式データキャリア装置用補助アンテナ部材の説明を以って、本発明の非接触式データキャリア装置用補助アンテナ部材の実施の形態の説明に代える。
本例の非接触式データキャリア装置用補助アンテナ部材を内蔵したカバン１００は、使用するカード型の非接触式データキャリア装置１７０の通信距離をのばすための非接触式データキャリア装置用補助アンテナ部材１０５を内蔵したカバンであって、非接触式データキャリア装置１７０を、カバンに設けられたポケットに入れたままの状態で、外部のリーダライタ部と交信するためのものである。
非接触式データキャリア装置用補助アンテナ部材１０５は、使用する非接触式データキャリア装置１７０より大サイズに、カバン面に沿い略平面状に、外部のリーダライタと交信する共振用のアンテナコイル１２０を有するアンテナ回路を形成したもので、
該アンテナコイル１２０の略中心位置に、使用する非接触式データキャリア装置１７０を設けられたポケット１６０に入れて、リーダライタとの交信を行なうものであり、アンテナコイル１２０には、共振調整用の、可変長のコイル１９０および調整可能な容量１４０とを備えている。
【００１６】
使用するカード型の非接触式データキャリア装置１７０としては、ＩＳＯ１５６９３（近接型）仕様あるいはＩＳＯ１４４４３（近傍型）仕様のカード型の非接触式データキャリアモジュールを搭載したカード型の非接触式データキャリア装置を定期券が挙げられ、
この場合の外部のリーダライタは、ＩＣモジュールを搭載したカード型の非接触式データキャリア装置を定期券として、通勤における改札口に配設された、定期券と信号のやり取りを非接触でおこなうものである。
【００１７】
本例においては、非接触式データキャリア装置用補助アンテナ部材１０５は、使用する非接触式データキャリア装置１７０より大サイズの平面状のベース基材１１０に沿い、リーダライタ（図７の４１０に相当）と交信する共振用のアンテナコイル１２０を有するアンテナ回路を形成したもので、アンテナ回路は、アンテナコイル１２０の他に、チップコンデンサ１４０と容量パターン１３０、１３５により形成される調整用の容量部を持つ。
そして、その略中心位置に、使用する非接触式データキャリア装置１７０をその共振用のアンテナコイルの面を、前記基材に沿った状態にして、且つ、ベース基材１１０に沿い設けられたポケット１６０に入れ、且つ、全体を図７のようにカバン４２０等に入れた状態で、リーダライタとの交信を行なうものである。
【００１８】
アンテナコイル１２０は、チップコンデンサ１４０と容量パターン１３０、１３５と合せて、アンテナ回路を形成し、リーダライタからの電磁波を共振するもので、共振の微調整は容量パターン１３０、１３５にて行なう。
アンテナコイル１２０は、使用する非接触式データキャリア装置１７０の共振用のアンテナコイル（図示していない）に比べ大きく形成され、これより、リーダライターからの信号の共振のピークを大きくとることができ、使用する非接触式データキャリア装置１７０の共振用のアンテナコイル（図示していない）に比べ遠距離通信が可能となる。
これにより、ベース基材１１０に沿い設けられたポケット１６０に入れた状態で、更に、本例の非接触式データキャリア装置用補助アンテナ部材を鞄等に入れたままの状態で、リーダライタとの交信を行なうことができる。
尚、非接触式データキャリア装置１７０としては、先にも述べたように、ＩＳＯ１５６９３（近接型）あるいはＩＳＯ１４４４３（近傍型）仕様のカード型の非接触式データキャリアモジュールを適用対象とし、例えば、ブースターアンテナ部と、該ブースターアンテナ部を一次コイルとし、これと電磁結合するための二次コイルを設けた、コイルオンチップ型のデータキャリア用半導体チップあるいは他のデータキャリアモジュールが通信距離の面からは好ましく挙げられるが、これらに限定はされない。
本例における、非接触式データキャリア装置用補助アンテナ部材２０５を用いて、ブースターアンテナ部と、該ブースターアンテナ部を一次コイルとし有するコイルオンチップ型のデータキャリア用半導体チップあるいは他のデータキャリアモジュールを使用する場合、アンテナコイル１２０がリーダライターからの電磁波を受ける一次コイルとなり、ブースターアンテナ（図示していない）が二次コイルとなり、更に、このブースターアンテナ（図示していない）に電磁結合しているコイル（図示していない）を介して、信号の授受が行われる。
【００１９】
アンテナコイル１２０とこれに一体的に形成された、接続端子部１２１、１２２、１２５、および容量パターン１３０、接続用配線１３１、１３２、更にまた、接続用配線１５０とこれに一体的に形成された、接続用端子１５１、１５２、容量パターン１３０、接続用配線１３６、１３７は、いずれも、アルミニュウム薄層、銅薄層等の導電性薄層からなり、絶縁性の基材（ベース基材に対応）の両面に積層された導電性薄層をフォトエッチングして形成されたもので、各部は精度的に良く形成されている。
ベース基材となる絶縁性の基材としてはＰＥＴ（ポリエチレンテレフタレート）等のプラスチックあるいは、塩ビ（ポリエチレン）、ポリカーボネート、ポリイミド等が用いられるがこれに限定はされない。
図１（ａ）に示すアンテナコイル１２０は接続端子部１２１、１２２により、それぞれ、図５に示す接続端子部１５１、１５２と電器的に接続している。
これを図６にて説明しておく。
図６は図１（ａ）（あるいは図２）、図５に、それぞれ示す各容量パターン１３０、１３５のうち必要な４対の容量パターンを使用した場合の図であるが、かしめ接続部１８１、１８２にて接続端子部１５１、１５２とかしめ接続して容量部を形成している。
尚、図６中、点線部は、図１（ａ）に示す各容量パターン１３０、アンテナコイル１２０、接続端子部１２１、１２２、配線１３１、１３２の位置を示している。
容量パターン１３０は接続配線１３１、接続部１３２を介してアンテナコイル１２０の一方の端側に接続しており、アンテナコイル１２０の他方の端に接続していない。
また、容量パターン１３５は接続配線１３６、１３７を介して接続用配線１５０一方の端側に接続しており、接続用配線１５０他方の端には接続していない。
各容量パターンの組みは、ベース基材１１０をその間の誘電体層として、それぞれコンデンサーを形成しており、形成された各コンデンサーはその電極面積は略同じで、並列に構成されている。
共振の調整は、かしめ接続を行った後、共振調整時に必要なだけの容量パターンを残し、他はエッチング等により除去するか、あるいは、接続部１３２をレーザでカットする。
【００２０】
本例では、ベース基材１１０のアンテナコイル１２０側とは反対面側にポケット１６０を設け、これに非接触式データキャリア装置１７０を入れて使用するが、ポケット１６０に代え、略中心位置に、接着材層を設けこれに添付するようにしても良い。
また、アンテナコイル１２０とこれに一体的に形成された、接続端子部１２１、１２２、１２５、および容量パターン１３０、接続用配線１３１、１３２、更にまた、接続用配線１５０とこれに一体的に形成された、接続用端子１５１、１５２、容量パターン１３０、接続用配線１３６、１３７の、少なくとも一部を、導電性ペーストを用いた印刷法等により形成しても良い。
【００２１】
第１の例においては、ファスナーにより、可変長コイル部１９０を形成するが、ここで、図４をもとに、第１の例における、可変長コイル部１９０としての、ファスナーを回路的に説明しておく。
第１の例におけるファスナーでは、図４（ａ）に示す、導通金属部１９１を移動して、２つの導通テープ部１９２を離したり、接合したりするが各部が導電性であるため、アンテナコイル１２０のインダクタンス分をＬ、Ｂ１−Ｂ０間のインダクタンス分をＬ２、Ｂ２−Ｂ０間のインダクタンス分をＬ１として、実質的に、その回路は、図４（ｂ）のように表され、共振回路全体のインダクタンスは、（Ｌ＋Ｌ１＋Ｌ２）となる。
尚、この場合の共振周波数ｆは、ｆ＝１／２π［（Ｌ＋Ｌ１＋Ｌ２）Ｃ］１／２　となる。
【００２２】
第１の例の変形例としては、図１における、非接触式データキャリア装置用補助アンテナ部材２０５に代え、図２に示すような、アンテナコイル１２０は、非接触式データキャリア装置１７０の周辺部に沿うように迂回しているもの（非接触式データキャリア装置用補助アンテナ部材２０５Ａ）も挙げられる。
また、第１の例における、非接触式データキャリア装置用補助アンテナ部材の別の形態としては、本例におけるチップコンデンサ１４０と、容量パターン１３０、１３５の組みとの、どちらか一方だけを有するものものが挙げられる。
特に、チップコンデンサ（１４０に相当）を使わずに容量パターン（１３０、１３５に相当）の容量のみで使用する形態が、構造面や作製面からは実用的である。
【００２３】
次に、本発明の非接触式データキャリア装置用補助アンテナ部材を内蔵したカバンの実施の形態の第２の例を図３に基づいて説明する。
第２の例は、コイル線をそのままアンテナコイル２２０に利用して、コンデンサー素子を接続してこれを可変容量部２４０として、アンテナ回路を構成したものである。
第２の例の非接触式データキャリア装置用補助アンテナ部材を内蔵したカバン２００も、第１の例と同様、使用するカード型の非接触式データキャリア装置２７０の通信距離をのばすための非接触式データキャリア装置用補助アンテナ部材１０５を内蔵したカバンであって、非接触式データキャリア装置２７０を、カバンに設けられたポケット２６０に入れたままの状態で、外部のリーダライタ部と交信するためのものである。
第２の例の場合、第１の例と同様に、ファスナーからなる可変長コイル２９０を備え、更に、トリマー用の可変容量部２４０を備えている。
【００２４】
第２の例の場合も、使用するカード型の非接触式データキャリア装置２７０としては、ＩＳＯ１５６９３（近接型）仕様あるいはＩＳＯ１４４４３（近傍型）仕様のカード型の非接触式データキャリアモジュールを搭載したカード型の非接触式データキャリア装置を定期券が挙げられ、対応する外部のリーダライタは、ＩＣモジュールを搭載したカード型の非接触式データキャリア装置を定期券として、通勤における改札口に配設された、定期券と信号のやり取りを非接触でおこなうものである。
【００２５】
【実施例】
実施例は、図１に示す非接触式データキャリア装置用補助アンテナ部材１０５を内蔵した、図１に示す第１の例の非接触式データキャリア装置用補助アンテナ部材を内蔵したカバン１００で、以下のようにして作製した非接触式データキャリア装置用補助アンテナ部材１０５を電磁波透過性の皮性のカバンに内蔵したものである。
先ず、非接触式データキャリア装置用補助アンテナ部材１０５を、以下のようにして作製した。
膜厚３０μｍのアルミニュウム薄層、膜厚３８μｍのＰＥＴフィルムからなるベース基材１１０、膜厚２０μｍのアルミニュウム薄層からなる積層材を用い、フォトエッチング法により、Ａ４サイズの図１に示す実施の形態の第１の例におけるの非接触式データキャリア装置用補助アンテナ部材を作製した。
図１（ａ）でアンテナコイル１２０端位置をそのＸ方向を跨ぐ辺部端から２３ｍｍ、Ｙ方向を跨ぐ辺部端から１５ｍｍとし、ラインアンドスペース５ｍｍ、１ｍｍで周回数３のアンテナコイル１２０を、厚さ３０μｍで作製した。
容量パターン部は各１対の容量パターン（１３０と１３５で１対）１つが３ｐＦとなるようにし、エッチングにより３０個形成し、共振の調整時に１０個（あわせて３０ｐＦ）とした。
また、チップコンデンサ１４０は２５ｐＦを用いた。
ＩＳＯ１５６９３（近接型）仕様のカード型の非接触式データキャリア装置１７０（大日本印刷社製のカード型データキャリア装置、チップはフィリップス社のＩ−ｃｏｄｅ）を非接触式データキャリア装置用補助アンテナ部材１０５の中心（図１（ａ）でＸ＝０，Ｙ＝０の　とする）においた状態で、上記のようにして作製された非接触式データキャリア装置用補助アンテナ部材１０５を皮製のカバンに内蔵させ、本発明の非接触式データキャリア装置用補助アンテナ部材を内蔵させたカバン１００を得た。
本実施例で得たカバン１００では、１３．　５ＭＨｚ、出力１Ｗのリーダライタに対し、約７９ｃｍの通信距離を得ることができた。
【００２６】
尚、実施例と同様の非接触式データキャリア装置用補助アンテナ部材を内蔵したカバンで、非接触式データキャリア装置用補助アンテナ部材１０５に対する、非接触式データキャリア装置１７０のＹ＝０におけるＸ方向位置、Ｘ＝０におけるＹ方向位置を種々変え、接触式データキャリア装置としてＩＳＯ１５６９３（近接型）仕様のカード型のもの（大日本印刷社製のカード型データキャリア装置、チップはフィリップス社のＩ−ｃｏｄｅ）を用い、リーダライタとしては、１３．　５ＭＨｚ、出力１Ｗのものを用いた場合の通信距離を調べた結果、図９のようなデータが得られた。
これより、通信距離が最大となる位置として、非接触式データキャリア装置用補助アンテナ部材１０５のほぼ中心位置で、約７９ｃｍの通信距離を得ることができた。
尚、通常、リーダライタとの交信の電磁波の周波数が１３．５６ＭＨｚでは２０ｃｍ程度の通信距離と言われている。
【００２７】
【発明の効果】
本発明は、上記のように、カバンに付帯させ、これに添付ないし、これに設けられたポケットに入れたままで、リーダライタとの交信を遠距離で行なうことができる、非接触式データキャリア装置用補助アンテナ部材を内蔵したカバンの提供を可能とした。
同時にこれに用いられる非接触式データキャリア装置用補助アンテナ部材の提供を可能とした。
【図面の簡単な説明】
【図１】図１（ａ）は本発明の非接触式データキャリア装置用補助アンテナ部材を内蔵したカバンの実施の形態の第１の例の要部を透視してみた概略図で、図１（ｂ）は図１（ａ）のＡ１−Ａ２における断面図で、図１（ｃ）はカバンの外観の１例を示した図である。
【図２】図２（ａ）は図１に示す非接触式データキャリア装置用補助アンテナ部材１０５の変形例を示した概略図で、図２（ｂ）は図２（ａ）のＡ１１−Ａ２１における断面図である。
【図３】本発明の非接触式データキャリア装置用補助アンテナ部材を内蔵したカバンの実施の形態の第２の例の要部を透視してみた概略図である。
【図４】図３に示すファスナー（可変長コイル部）２９０を回路的に説明するための図である。
【図５】図１（ｂ）のＡ１側から透視してからみた基材１１０のアンテナコイル１２０とは反対側の図である。
【図６】アンテナコイルの接続と容量パターンを説明するための図である。
【図７】従来の非接触式データキャリア装置を用いた改札方法を説明するための図である。
【図８】従来の非接触式データキャリア装置を用いた改札方法を説明するための図である。
【図９】実施の形態例の非接触式データキャリア装置用補助アンテナ部材における非接触式データキャリア装置を設置位置と通信距離の関係を示した図である。
【符号の説明】
１００　　　　　　　　　カバン
１０５、１０５ａ　　　　非接触式データキャリア装置用補助アンテナ部材
１１０　　　　　　　　　ベース基材
１１１、１１２　　　　　保護膜
１２０　　　　　　　　　アンテナコイル
１２１、１２２、１２５　接続用端子部
１３０　　　　　　　　　容量パターン
１３１　　　　　　　　　接続用配線
１３２　　　　　　　　　接続部
１３５　　　　　　　　　容量パターン
１３６　　　　　　　　　接続用配線
１３７　　　　　　　　　接続部
１４０　　　　　　　　　チップコンデンサ
１５０　　　　　　　　　接続用配線
１５１、１５２　　　　　接続用端子
１６０　　　　　　　　　ポケット
１６０Ａ　　　　　　　　ポケット領域
１７０　　　　　　　　　非接触式データキャリア装置
１７０Ａ　　　　　　　　非接触式データキャリア装置領域
１８１、１８２　　　　　かしめ接続部
１９０　　　　　　　　　可変長コイル部
１９１　　　　　　　　　導通金属部
１９２　　　　　　　　　導通テープ部
２００　　　　　　　　　カバン
２２０　　　　　　　　　アンテナコイル
２４０　　　　　　　　　可変容量部
２６０　　　　　　　　　ポケット
２７０　　　　　　　　　非接触式データキャリア装置
２９０　　　　　　　　　ファスナー（可変長コイル部）
４１０　　　　　　　　　リーダライタ部
４１１　　　　　　　　　電磁波
４２０　　　　　　　　　カバン
４３０　　　　　　　　　非接触式データキャリア装置用補助アンテナ部材
４５０　　　　　　　　　非接触式データキャリア装置
５１０　　　　　　　　　リーダライタ部
５１１　　　　　　　　　電磁波
５５０　　　　　　　　　非接触式データキャリア装置
【図１】
2004021484.tif 000003
【図２】
2004021484.tif 000004
【図３】
2004021484.tif 000005
【図４】
2004021484.tif 000006
【図５】
2004021484.tif 000007
【図６】
2004021484.tif 000008
【図７】
2004021484.tif 000009
【図８】
2004021484.tif 000010
【図９】
2004021484.tif 000011